【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
回転運動を測定するためのセンサアセンブリであって、
ブラインドカートリッジスロットを形成する第１のハウジングであって、前記ブラインドカートリッジスロットと電気コネクタソケットとの間に配置された開口部において終端する第１のハウジングと、
前記第１のハウジングに固定された第２のハウジングと、
前記第１のハウジングおよび前記第２のハウジングに対する回転動作のために配置され、前記第１のハウジングと前記第２のハウジングとの間の位置で軸方向に捕捉されたシャフトと、
前記シャフトと結合され、それとともに回転可能であるアームと、
前記コネクタソケットを通して、かつ、前記コネクタソケットと前記ブラインドカートリッジスロットとの間の前記開口部を通して、前記第１のハウジング中の前記ブラインドカートリッジスロットに挿入されたターミナルヘッダーによって担持された、前記シャフトの回転動作を感知するセンサを有するセンサカートリッジアセンブリであって、前記ターミナルヘッダーが、前記ブラインドカートリッジスロットと前記コネクタソケットとの間の前記開口部を覆う壁を含む、センサカートリッジアセンブリと
を備える、センサアセンブリ。
【請求項２】
前記アームが、車両の最低地上高を測定するために、車両のシャシーに接続するように適合される、請求項１に記載のセンサアセンブリ。
【請求項３】
前記シャフトが磁石を保持し、前記センサが前記シャフトの回転動作に応じた磁界の変化を感知するためのホール効果センサ素子である、請求項１に記載のセンサアセンブリ。
【請求項４】
前記第１のハウジングが、前記センサカートリッジアセンブリ中に規定された少なくとも第１のアパーチャを通って延びる少なくとも第１のポストを含み、前記第１のハウジング中の前記ブラインドカートリッジスロット中に前記センサカートリッジアセンブリを固定するために前記センサカートリッジアセンブリにステーキングされる、請求項１に記載のセンサアセンブリ。
【請求項５】
前記センサカートリッジアセンブリが、少なくとも第１のポストをもつ第１のプレートと、前記磁気感知素子を有し、少なくとも第１のアパーチャを規定する基板とを含むターミナルヘッダーを有し、前記ターミナルヘッダー上の前記第１のポストが、前記ターミナルヘッダーの前記第１のプレートに前記基板を固定するために、前記基板中の前記第１のアパーチャを通って延びる、請求項１に記載のセンサアセンブリ。
【請求項６】
前記センサカートリッジアセンブリが、前記磁気感知素子のためのクレードルを規定するプレートをもつターミナルヘッダーと、前記プレートおよび前記磁気感知素子の上に重なるカバーとを含む、請求項１に記載のセンサアセンブリ。
【請求項７】
回転動作を測定するためのセンサアセンブリであって、
センサカートリッジスロットを規定する第１のハウジング部材と、
コネクタソケットを規定するコネクタハウジングであって、前記センサカートリッジスロットと前記コネクタソケットとが、前記センサカートリッジスロットと前記コネクタソケットとの間の開口部を介して連通する、コネクタハウジングと、
前記第１のハウジング部材に対して回転可能なシャフトと、
前記シャフトの回転運動を誘導し、前記シャフトの軸方向運動を防止するスリーブと、
回転可能アーム部材であって、前記シャフトが、前記アーム部材に結合され、前記アーム部材の回転に応答して回転可能である、アーム部材と、
センサを含み、前記コネクタソケットおよび前記センサカートリッジスロットと前記コネクタソケットとの間の前記開口部を通して前記第１のハウジング部材中に装着されるセンサカートリッジであって、前記センサが、前記シャフトの前記回転を感知するように適合される、センサカートリッジと
を備える、センサアセンブリ。
【請求項８】
前記シャフトが磁界を発生させる磁石を有し、前記センサが前記シャフトの回転に応じた前記磁石により生成される磁界の変化を感知するように適合されている、請求項７に記載のセンサアセンブリ。
【請求項９】
前記センサカートリッジが、ターミナルヘッダーと、前記ターミナルヘッダーに結合された基板とを含み、前記センサが前記基板上に装着される、請求項７に記載のセンサアセンブリ。
【請求項１０】
前記ターミナルヘッダーが、前記基板を前記ターミナルヘッダーに固定するために前記基板中に規定されたそれぞれ対応するアパーチャを通って延びる複数のポストを含む、請求項９に記載のセンサアセンブリ。
【請求項１１】
前記アーム部材が、車両の最低地上高を測定するための車両のシャシーへの接続のために適合されている、請求項７に記載のセンサアセンブリ。
【請求項１２】
センサアセンブリのためのセンサカートリッジであって、
端子をもつ第１のプレートを含むターミナルヘッダーと、
センサを含む基板であって、前記基板が、前記ターミナルヘッダーの前記第１のプレートに装着され、前記ターミナルヘッダーの前記端子を受けるアパーチャを規定する、基板と
を備える、センサカートリッジ。
【請求項１３】
前記ターミナルヘッダーが、前記センサアセンブリ中の開口部を覆う第２のプレートを含み、前記端子が前記第２のプレートを通って延びる、請求項１２に記載のセンサカートリッジ。
【請求項１４】
前記第１のプレートが、前記基板を前記ターミナルヘッダーに固定するために前記基板中の少なくとも第１のアパーチャを通って延びるように適合された少なくとも第１のポストを含む、請求項１２に記載のセンサカートリッジ。
【請求項１５】
前記センサアセンブリが、前記センサカートリッジを前記センサアセンブリに固定するために前記ターミナルヘッダー中の少なくとも第１のアパーチャを通って延びるように適合された少なくとも第１のポストを含む、請求項１２に記載のセンサカートリッジ。
【手続補正２】
【補正対象書類名】明細書
【補正対象項目名】００７８
【補正方法】変更
【補正の内容】
【００７８】
上述の記載は、本発明の好ましい実施形態を構成するが、添付の請求の範囲の適切な範囲および正当な意味から逸脱することなく、本発明に修正、変形および変更を加え得ることが了解されよう。
下記は、本願明細書に記載の発明である。
＜請求項１＞
回転運動を測定するためのセンサアセンブリであって、
ブラインドカートリッジスロットを形成する第１のハウジングであって、前記ブラインドカートリッジスロットと前記第１のハウジングと一体の電気コネクタソケットとの間に配置された開口部において終端し、前記第１のハウジングが、前記センサアセンブリを支持構造に固定するための装着手段を有する壁をさらに含む、第１のハウジングと、
前記第１のハウジングに固定された第２のハウジングと、
前記第１のハウジングおよび前記第２のハウジングに対して回転するように配置され、前記第１のハウジングと前記第２のハウジングとの間の定位置で軸方向に捕捉されたシャフトであって、前記シャフトが永久磁石を保持する、シャフトと、
前記シャフトと結合され、それとともに回転可能であるアームと、
前記コネクタソケットを通して、かつ、前記コネクタソケットと前記ブラインドカートリッジスロットとの間の前記開口部を通して、前記第１のハウジング中の前記ブラインドカートリッジスロットに挿入されたターミナルヘッダーによって担持された磁気感知素子を有するセンサカートリッジアセンブリであって、前記ターミナルヘッダーが、前記ブラインドカートリッジスロットと前記コネクタソケットとの間の前記開口部を覆う壁を含む、センサカートリッジアセンブリと
を備える、センサアセンブリ。
＜請求項２＞
前記アームが、車両の最低地上高を測定するために、車両のシャシーに接続するように適合される、請求項１に記載のセンサアセンブリ。
＜請求項３＞
前記磁気感知素子が、ホール効果素子または磁気抵抗素子である、請求項１に記載のセンサアセンブリ。
＜請求項４＞
前記第１のハウジングが、前記センサカートリッジアセンブリ中に規定された少なくとも第１のアパーチャを通って延びる少なくとも第１のポストを含み、前記第１のハウジング中の前記ブラインドカートリッジスロット中に前記センサカートリッジアセンブリを固定するために前記センサカートリッジアセンブリにステーキングされる、請求項１に記載のセンサアセンブリ。
＜請求項５＞
前記センサカートリッジアセンブリが、少なくとも第１のポストをもつ第１のプレートと、前記磁気感知素子を有し、少なくとも第１のアパーチャを規定する基板とを含むターミナルヘッダーを有し、前記ターミナルヘッダー上の前記第１のポストが、前記ターミナルヘッダーの前記第１のプレートに前記基板を固定するために、前記基板中の前記第１のアパーチャを通って延びる、請求項１に記載のセンサアセンブリ。
＜請求項６＞
前記センサカートリッジアセンブリが、前記磁気感知素子のためのクレードルを規定するプレートをもつターミナルヘッダーと、前記プレートおよび前記磁気感知素子の上に重なるカバーとを含む、請求項１に記載のセンサアセンブリ。
＜請求項７＞
車両シャシーセンサアセンブリであって、
センサカートリッジスロットを規定する第１のハウジング部材と、
前記第１のハウジング部材に結合され、コネクタソケットを規定するコネクタハウジングであって、前記センサカートリッジスロットと前記コネクタソケットとが、前記センサカートリッジスロットと前記コネクタソケットとの間の開口部を介して連通する、コネクタハウジングと、
前記第１のハウジング部材に対して回転可能であり、磁界を発生させるための磁石を含むシャフトと、
前記シャフトの回転運動を誘導し、前記シャフトの軸方向運動を防止するスリーブと、
回転可能アーム部材であって、前記シャフトが、前記アーム部材に結合され、前記アーム部材の回転に応答して回転可能である、アーム部材と、
センサを含み、前記コネクタソケットおよび前記センサカートリッジスロットと前記コネクタソケットとの間の前記開口部を通して前記第１のハウジング部材中に装着されるセンサカートリッジであって、前記センサが、前記シャフトの前記回転に応答して前記磁石により発生された前記磁界における変化を感知するように適合される、センサカートリッジと
を備える、車両シャシーセンサアセンブリ。
＜請求項８＞
前記センサカートリッジが、前記センサカートリッジスロットと前記コネクタソケットとの間の前記開口部を覆うプレートを含む、請求項７に記載の車両シャシーセンサアセンブリ。
＜請求項９＞
前記センサカートリッジが、ターミナルヘッダーと、前記ターミナルヘッダーに結合された基板とを含み、前記センサが前記基板上に装着される、請求項７に記載の車両シャシーセンサアセンブリ。
＜請求項１０＞
前記ターミナルヘッダーが、前記基板を前記ターミナルヘッダーに固定するために前記基板中に規定されたそれぞれ対応するアパーチャを通って延びる複数のポストを含む、請求項９に記載の車両シャシーセンサアセンブリ。
＜請求項１１＞
前記第１のハウジング部材が、前記第１のハウジング部材中に前記センサカートリッジを固定するために前記センサカートリッジ中に規定された少なくとも第１のアパーチャを通って延びる少なくとも第１のポストを含む、請求項７に記載の車両シャシーセンサアセンブリ。
＜請求項１２＞
センサアセンブリのためのセンサカートリッジであって、
端子をもつ第１のプレートを含むターミナルヘッダーと、
センサを含む基板であって、前記基板が、前記ターミナルヘッダーの前記第１のプレートに装着され、前記ターミナルヘッダーの前記端子を受けるアパーチャを規定する、基板と
を備える、センサカートリッジ。
＜請求項１３＞
前記ターミナルヘッダーが、前記センサアセンブリ中の開口部を覆う第２のプレートを含み、前記端子が前記第２のプレートを通って延びる、請求項１２に記載のセンサカートリッジ。
＜請求項１４＞
前記第１のプレートが、前記基板を前記ターミナルヘッダーに固定するために前記基板中の少なくとも第１のアパーチャを通って延びるように適合された少なくとも第１のポストを含む、請求項１２に記載のセンサカートリッジ。
＜請求項１５＞
前記センサアセンブリが、前記センサカートリッジを前記センサアセンブリに固定するために前記ターミナルヘッダー中の少なくとも第１のアパーチャを通って延びるように適合された少なくとも第１のポストを含む、請求項１２に記載のセンサカートリッジ。